(57)【特許請求の範囲】
【請求項１】
基地局との間で無線通信すると共に、該基地局を介して相手端末と通信する携帯通信装置において、
着信時に前記基地局からの受信信号から前記相手端末の発信側電話番号と前記基地局の位置情報に基づく着信側の地域情報とを得る受信手段と、
市外局番号と地域名との第１の対応表を予め記憶する第１の記憶部と、
発信側の地域名と着信側の地域名と着信時間帯毎による課金情報と前記課金の高低を示すランクの情報との第２の対応表を予め記憶する第２の記憶部と、
タイマーに基づき着信時刻を得る着信時刻計時手段と、
前記発信側電話番号の市外局番号と前記着信側の地域情報とに基づき前記第１及び第２の対応表と前記着信時刻とから、前記発信元の課金情報及び課金の高低を段階的に示すランクの情報を取得する制御手段と、
前記課金情報及び課金の高低を示すランクの情報を、前記発信側電話番号と共に着信中に表示する表示手段と
を有することを特徴とする携帯通信装置。
【請求項２】
前記発信側電話番号は、固定電話機の電話番号であることを特徴とする請求項１記載の携帯通信装置。
【請求項３】
前記制御手段は、前記発信側電話番号の少なくとも市外局番号を含む上位ｎ桁の数列を抜き出し、そのｎ桁の数列が示す番号と同じ番号が前記第１の対応表にあるかどうか検索し、有る場合はその番号に対応する発信側の地域名を前記第１の対応表から取得し、無い場合は前記ｎ桁の数列の下位側から１桁ずつ減らして、桁数を減らしたその数列が示す番号が前記第１の対応表にあるかどうか検索することを、該第１の対応表に同じ番号があるまで繰り返して同じ番号に対応する発信側の地域名を前記第１の対応表から取得し、取得した前記発信側の地域名と前記着信側の地域情報と前記着信時刻に基づいて、前記第２の対応表を参照して前記発信元の課金情報及び課金の高低を示すランクの情報を取得することを特徴とする請求項１記載の携帯通信装置。
【請求項４】
前記制御手段は、前記発信側電話番号の少なくとも市外局番号を含む上位ｎ桁の数列のうち、最上位桁を除く２桁目からｎ桁目までの（ｎ−１）桁の数列が示す番号と同じ番号が前記第１の対応表の各市外局番号中の２桁目からｎ桁目の番号にあるかどうか検索し、有る場合はその番号に対応する発信側の地域名を前記第１の対応表から取得し、無い場合は前記（ｎ−１）桁の数列の下位側から１桁ずつ減らして、桁数を減らしたその数列が示す番号が前記第１の対応表にあるかどうか検索することを、該第１の対応表に同じ番号があるまで繰り返して同じ番号に対応する発信側の地域名を前記第１の対応表から取得し、取得した前記発信側の地域名と前記着信側の地域情報と前記着信時刻に基づいて、前記第２の対応表を参照して前記発信元の課金情報及び課金の高低を示すランクの情報を取得することを特徴とする請求項１記載の携帯通信装置。
【請求項５】
前記制御手段は、定期的な間隔で前記基地局のサーバに前記第１及び第２の対応表の変更の有無を確認し、変更があるときは、前記第１及び第２の対応表を前記基地局からダウンロードして取得して前記第１及び第２の記憶部に記憶することを特徴とする請求項１記載の携帯通信装置。
【発明の詳細な説明】
【０００１】
【発明の属する技術分野】
本発明は携帯通信装置に係り、特に課金情報を表示する携帯電話機等の携帯通信装置に関する。
【０００２】
【従来の技術】
携帯電話機は固定電話機や携帯電話機など異なる種類の電話機との通話が可能であり、また自移動網の携帯電話機だけでなく、他移動網の携帯電話機との通話も可能であるが、同じ通話時間に対する通話料金はこれらのすべてで同一というわけではなく、異なるのが通常であり、場合によっては高額な通話料金を請求される場合がある。
【０００３】
そこで、従来、携帯電話機である移動局ユーザに対して着信があった場合に、移動局ユーザが在圏する在圏位置に応じて発ユーザに対して課金ができるようにした移動通信方式が提案されている（特開平５−１９１３４３号公報）。この従来の移動通信方式では、サービスエリア内を移動する移動局の通信を可能とする移動通信網内に、移動局との通信制御及び他の通信網との回線交換を行う移動網交換機と、移動局が位置する範囲を特定する位置情報を登録するホームメモリとを備え、移動網交換機は、他の通信網又は自移動通信網からの移動局の位置情報に基づいて、着信制御を行う手段を含む移動通信方式において、他の通信網又は自移動通信網は、発ユーザが位置する課金エリア情報を移動網交換機に送る手段を備え、移動網交換機は、通信開始に先立って課金エリア情報とホームメモリから読み出した着移動局の位置情報とから課金周期情報を算出する手段と、この課金周期情報を通信開始に先立って発ユーザの課金を行う発交換機へ送出する手段を備える構成である。
【０００４】
この従来の移動通信方式では、課金周期を発ユーザに返すことにより、ユーザが通信料金を推定して通信接続を行うかどうか判断させるため、ユーザが予想しない高額な通話料金の請求は回避することができる。
【０００５】
ところで、一般に、固定電話機と携帯電話機間の通話料金は、固定電話機と固定電話機間、又は携帯電話機と携帯電話機間の通話料金に比べて高いため、固定電話機から携帯電話機によく発信する人は、膨大な通話料金が請求される場合がある。
【０００６】
【発明が解決しようとする課題】
しかし、上記の従来の移動通信方式では、通話開始に先立って発ユーザが通話料金により通話するかどうか判断するものであり、また、その通話料金情報は発ユーザのみに対して開示されるので、着信者は通話料金に関しては全く意識することがなく、よって発信者と着信者の双方にとって無駄な通話料金の発生を効果的に防ぐようにすることはできない。
【０００７】
他方、従来の携帯通信装置では、着信があった場合、局から通知される相手の電話番号を表示部に表示することにより、ユーザに相手（発信者）の情報を通知しているので、ユーザはこの表示を見て何処からの電話なのかを知ることができる。しかし、予め携帯通信装置に相手の電話番号を登録してあれば、名前等も表示され、何処からの電話なのかを判断する手掛かりにはなるが、それらだけではどの程度の通話料金が発生するかを判断するには情報が不十分である。そのため、通話料金のことを意識せず長電話をしてしまい、発信者側に無駄な通話料金を発生させてしまう場合が多々あった。
【０００８】
本発明は以上の点に鑑みなされたもので、固定電話機から着信があった際に相手の電話番号のみでなく、相手の課金情報と課金の高低を段階的に示すランクの情報とを表示部に表示することで、どの程度の通話料金が発生しそうか着信者にも意識させることにより、発信者にとって無駄な通話料金の発生を防止し得る携帯通信装置を提供することを目的とする。
【０００９】
【課題を解決するための手段】
本発明は上記の目的を達成するため、基地局との間で無線通信すると共に、基地局を介して相手端末と通信する携帯通信装置において、着信時に基地局からの受信信号から相手端末の発信側電話番号と基地局の位置情報に基づく着信側の地域情報とを得る受信手段と、市外局番号と地域名との第１の対応表を予め記憶する第１の記憶部と、発信側の地域名と着信側の地域名と着信時間帯毎による課金情報と課金の高低を示すランクの情報との第２の対応表を予め記憶する第２の記憶部と、タイマーに基づき着信時刻を得る着信時刻計時手段と、発信側電話番号の市外局番号と着信側の地域情報とに基づき第１及び第２の対応表と着信時刻とから、発信元の課金情報及び課金の高低を段階的に示すランクの情報を取得する制御手段と、課金情報及び課金の高低を示すランクの情報を、発信側電話番号と共に着信中に表示する表示手段とを有する構成としたものである。本発明では、着信時に着信側の携帯通信装置の表示手段に課金情報と課金の高低を示すランクの情報を表示することができる。すなわち、この発明では、第１の対応表から発信側電話番号中の市外局番号から発信側の地域名を取得し、この取得した発信側の地域名と着信時刻と着信側の地域名とから第２の対応表を参照して、発信元の課金情報及び課金の高低を示すランクの情報を取得することができる。
【００１２】
また、上記の目的を達成するため、本発明は、上記の発信側電話番号を、固定電話機の電話番号であることを特徴とする。この発明では、固定電話機から携帯電話機へ発信されたときの、発信元の課金情報及び課金の高低を示すランクの情報を着信側の携帯通信端末で取得することができる。
【００１３】
ここで、上記の発明において、上記の制御手段を、発信側電話番号の少なくとも市外局番号を含む上位ｎ桁の数列を抜き出し、そのｎ桁の数列が示す番号と同じ番号が第１の対応表にあるかどうか検索し、有る場合はその番号に対応する発信側の地域名を第１の対応表から取得し、無い場合はｎ桁の数列の下位側から１桁ずつ減らして、桁数を減らしたその数列が示す番号が第１の対応表にあるかどうか検索することを、第１の対応表に同じ番号があるまで繰り返して同じ番号に対応する発信側の地域名を第１の対応表から取得し、取得した発信側の地域名と着信側の地域情報と着信時刻に基づいて、第２の対応表を参照して発信元の課金情報及び課金の高低を示すランクの情報を取得することを特徴とする。
【００１４】
また、上記の制御手段は、発信側電話番号の少なくとも市外局番号を含む上位ｎ桁の数列のうち、最上位桁を除く２桁目からｎ桁目までの（ｎ−１）桁の数列が示す番号と同じ番号が第１の対応表の各市外局番号中の２桁目からｎ桁目の番号にあるかどうか検索し、有る場合はその番号に対応する発信側の地域名を第１の対応表から取得し、無い場合は（ｎ−１）桁の数列の下位側から１桁ずつ減らして、桁数を減らしたその数列が示す番号が第１の対応表にあるかどうか検索することを、第１の対応表に同じ番号があるまで繰り返して同じ番号に対応する発信側の地域名を第１の対応表から取得し、取得した発信側の地域名と着信側の地域情報と着信時刻に基づいて、第２の対応表を参照して発信元の課金情報及び課金の高低を示すランクの情報を取得するようにしてもよい。
【００１５】
【発明の実施の形態】
次に、本発明の実施の形態について図面と共に説明する。図１は本発明になる携帯通信装置の一実施の形態と、その携帯通信装置が使用される移動体通信システムの要部の一例のシステム構成図を示す。同図において、本発明になる携帯通信装置の一実施の形態である携帯電話機１０は、基地局２０との間で無線通信する無線部１１と、各種のメッセージを表示する液晶表示素子（ＬＣＤ）で構成された表示部であるＬＣＤ部１２と、この携帯電話機１０の各部を制御する制御部１３と、第１の記憶部１４と、第２の記憶部１５とより構成されている。
【００１６】
また、本発明と直接関係が無いので図示は省略したが、携帯電話機１０は携帯電話機に本来備えられている、操作部、送話用マイク、受話及び着信報知用スピーカも設けられており、更に必要により着信報知用のバイブレータも備えている。
【００１７】
第１の記憶部１４は、制御部１３に接続され、市外局番号と地域名（都道府県名等）の対応表を記憶している。第２の記憶部１５は、制御部１３に接続され、市外局番より割り出した発信者の地域情報と、基地局より通知される自ら（携帯電話機１０）が属する地域情報と、着信時間の３つの情報に対する課金及び課金の高低ランクの情報を記憶している。
【００１８】
制御部１３は、無線部１１、ＬＣＤ部１２、記憶部１４及び１５にそれぞれ接続され、固定電話機から着信があった場合、その時点での時刻を記憶しておき、基地局２０から通知される相手（発信元）の電話番号情報を無線部１１より受信し、その電話番号情報を基に記憶部１４から対応する地域名（都道府県名等）を検索する。そして、予め基地局２０に通知されている自らが属する地域情報と課金の高低ランクを示す情報を記憶部１５から検索する。
【００１９】
また、制御部１３は、上記の記憶部１４と記憶部１５の検索結果を、着信中にＬＣＤ部１２上に表示させるように命令する機能を有する。また、制御部１３は内部にタイマー機能を有し、常に現在の時刻情報を知ることができる。更に、基地局２０との通信で取得した自らの地域情報も内部の記憶部１５に保存する機能も有する。ＬＣＤ部１２は、制御部１３からの命令を受信し、電話番号と共に発信側の課金情報及び課金の高低ランクを表示する機能を有する。
【００２０】
次に、本実施の形態の動作について説明する。固定電話機から着信があった場合、本実施の形態は、基地局２０から携帯電話機１０宛に通知される相手の電話番号情報より相手の地域を割り出し、この相手の地域情報と着信時間及び自らが属する地域情報の３つの情報より発信側の、課金情報及び課金の高低を示すランク情報も相手電話番号と一緒に、着信中にＬＣＤ部１２に表示することにより、着信側にも発信側の通話料金を意識させ、無駄な通話料金の発生を防ぐためのものである。
【００２１】
まず、固定電話機から携帯電話機１０に対して着信があった場合、基地局２０から携帯電話機１０宛に相手（固定電話機）の電話番号情報が通知される。携帯電話機１０は、無線部１１を経由して制御部１３が上記の電話番号情報を受信する。記憶部１４には図２に示すような市外局番号と地域名（都道府県名等）との対応表が記憶されており、相手の電話番号情報を受信した制御部１３は、記憶部１４にアクセスして上記の図２の対応表から相手の電話番号情報と同じ市外局番号を探し出し、その地域名を検索する。
【００２２】
図２の対応表から同じ市外局番号を探し出す際の方法として一つの例を挙げる。例えば、「０ＡＢＣＤＥＦＧＨＪ」という電話番号をもった相手から着信があった場合、制御部１３は、受信した相手電話番号の上位５桁「０ＡＢＣＤ」の数字を抜き出し、その５桁の数字が記憶部１４に記憶されている図２の対応表にあるかどうか検索する。もし、同じ数字が有れば、制御部１３はそれに対応する地域名を選択する。もし、同じ数字が無ければ、制御部１３は１桁減らして「０ＡＢＣ」という上位４桁の数字が記憶部１４に記憶されている図２の対応表にあるかどうか検索する。
【００２３】
もし、同じ数字が有れば、制御部１３はそれに対応する地域名を選択する。もし、同じ数字が無ければ、制御部１３は更に１桁減らして上位３桁「０ＡＢ」の数字が図２の対応表に有るかどうか検索する。以下、同様にして、同じ数字が図２の対応表にあれば、その数字に対応する地域名を選択し、同じ数字が無ければ、桁数を１桁ずつ減らして上記の対応表に同じ数字があるかどうかの検索をすることを繰り返す。このようにして、受信した電話番号の市外局番号より相手の地域名を検索する。
【００２４】
また、制御部１３は内部に持っているタイマーより着信があった際の時刻（すなわち、着信時刻）を読み込み、更に基地局２０との通信で取得している自らの地域情報も内部の記憶部１５から読み込む。制御部１３は、上記のようにして得られた発信側の地域情報、着信時刻及び自らの地域情報の、計３つの情報を基に、記憶部１５に記憶されている図３の対応表から対応する発信側の課金情報及び課金の高低を示すランクを選択する。
【００２５】
図３に示す対応表は、発信側の地域名、着信側（すなわち自らの）地域名、同じ課金額である着信時間帯、その着信時間帯における課金情報、及び課金の高低を示すランクとが対応して記憶された表である。ここで、課金の高低を示すランクとは、課金が高めなのか低めなのかを数値で段階的に表示し、数値が大きいほうが料金を高いことを意味し、通話料金が高いのか低いのかを視覚的に分かり易くするものである。
【００２６】
対応する課金情報及び課金の高低ランク情報を得た制御部１３は、着信中にＬＣＤ部１２にそれらの取得情報を表示するように命令する。制御部１３からの命令を受けたＬＣＤ部１２は、発信側の固定電話機の課金情報及び課金の高低を示すランクを相手の電話番号と共に表示する。
【００２７】
このような手順で相手先の固定電話機の課金情報及び課金の高低を示すランクを相手の電話番号と共にＬＣＤ部１２に表示することで、携帯電話機１０のユーザが発信側の通話料金を意識させ、無駄な通話料金の発生を防ぐことができる。
【００２８】
なお、記憶部１４、記憶部１５に記憶された図２、図３に示す対応表は、基地局２０のサーバよりダウンロードするものとする。携帯電話機１０は定期的な間隔で基地局２０のサーバに対応表の情報が変更していないかを確認し、変更があった場合はダウンロードすることで対応する。
【００２９】
なお、本発明は上記の実施の形態に限定されるものではなく、その他の実施の形態も考えられる。例えば、発信側の課金の高低ランクを数値で表示するのではなく、かなり高め、やや高め、普通などの言葉で表示するようにしてもよい。これは図３の対応表の対応する箇所の変更で容易に実現できる。
【００３０】
また、基地局２０を介して通知された相手の電話番号の市外局番号から図２の対応表より相手の地域名を探し出す方法として、上記の実施の形態では電話番号の上位の５桁と対応表の電話番号と一致するものを探し、無ければ有るまで上記の桁数を１桁ずつ減らすようにしているが、電話番号の最上位の「０」は使用せずに上位２桁目から５桁目から地域名を探し出すようにしてもよい。
【００３１】
この場合は、制御部１３は基地局２０より受信された相手の電話番号情報「０ＡＢＣＤＥＦＧＨＪ」の上位２桁目から上位５桁目である「ＡＢＣＤ」を抜き出し、図２の対応表に同じ数字が有るかどうか確認し、同じ数字があれば、その数字に対応した地域名（都道府県名等）をＬＣＤ部１２に表示させ、もし、同じ数字が無ければ、上位２桁目から上位４桁目までと桁数を下位側から１桁ずつ減らしていき、同じ数字があるまで上記の確認動作を繰り返す。
【００３２】
また、上記の実施の形態では、最も望ましい例として発信者が固定電話機の場合について説明したが、本発明はこれに限定されるものではなく、発信者が携帯電話機でも本発明を適用し得る。ただし、この場合は発信側の携帯電話機が直接無線通信している基地局の位置情報が、発信者電話番号と共に着信側の基地局を介して着信側の携帯電話機に送信されることを必要とする。
【００３３】
また、本発明は携帯電話機のみならず、すべての移動体通信機に適用可能である。更に、記憶部１４及び１５は、ハードウェア的に２つ別々の記憶部である場合は勿論のこと、一つの記憶装置を２つの記憶領域（記憶部）に分けたものも含むものである。
【００３４】
【発明の効果】
以上説明したように、本発明によれば、着信時に着信側の携帯通信装置の表示手段に課金情報と課金の高低を示すランクの情報を表示するようにしたため、発信側の通話料金を意識させることができる。
【００３５】
特に、発信側が固定電話機である場合は、通話料金が高額な、発信側が固定電話機で着信側が携帯通信装置である通話に際して、着信側の携帯通信装置に発信側の課金情報及び課金の高低を示すランクの情報を表示することにより、着信側の携帯通信装置にも通話料金を意識させ、無駄な通話料金の発生を効果的に防止することができる。
【図面の簡単な説明】
【図１】本発明装置の一実施の形態のブロック図と本発明装置を含む移動体通信システムの要部のシステム構成図である。
【図２】図１中の第１の記憶部に記憶されている対応表の一例を示す図である。
【図３】図１中の第２の記憶部に記憶されている対応表の一例を示す図である。
【符号の説明】
１０  携帯電話機
１１  無線部
１２  ＬＣＤ部
１３  制御部
１４  第１の記憶部
１５  第２の記憶部
２０  基地局
【図１】
0003803568.tif 000002
【図２】
0003803568.tif 000003
【図３】
0003803568.tif 000004